(57)【要約】【課題】小型で、操作部材の操作量を抑えることができる室内用ラッチ錠を提供すること。【解決手段】  操作部材の回動によりカム機構を介して進退するとともに常時施錠方向に付勢されたラッチ保持体４と、ラッチ背面５ｂとラッチ傾斜面５ｃとを有し常時ラッチ背面側に付勢されて回動可能に前記ラッチ保持体４の端部に設けられた反転ラッチ５と、施錠状態では前記ラッチ背面全体と接し、かつ若干の後退で前記ラッチ背面の後端部を露出させる第一のガイド面１０ａと、前記ラッチ傾斜面を案内する第二のガイド１０ｂとから構成されている。【選択図】図１
2019152035.tif 000002
【特許請求の範囲】
【請求項１】
操作部材の回動により常時施錠方向に付勢された操作棹と、ラッチ背面とラッチ傾斜面とを有し常時ラッチ背面側に付勢されて回動可能に前記操作棹の端部に設けられた反転ラッチと、施錠状態では前記ラッチ背面全体と接し、かつ若干の後退で前記ラッチ背面の後端部を露出させる第一のガイド面と、前記ラッチ傾斜面を案内する第二のガイドとから構成された室内用ラッチ錠。
【請求項２】
前記反転ラッチは、後端側に形成された凹部に捻りバネと前記操作棹の一部を収容して回動可能に前記操作棹に設けられている請求項１に記載の室内用ラッチ錠。
【請求項３】
前記第一のガイド面及び第二のガイド面は、ブッシュに形成されていて筒形外装ケース構成部材に挿入されて形成されている請求項１に記載の室内用ラッチ錠。
【請求項４】
前記操作棹、反転ラッチが筒形外装ケース構成部材に収容されている請求項１に記載の室内用ラッチ錠。
【発明の詳細な説明】
【技術分野】
【０００１】
本発明は、レバーやノブの操作により反転ラッチを操作する室内用ラッチ錠に関する。
【背景技術】
【０００２】
例えば特許文献１、２に見られるように見られるように室内錠としてノブやレバーなどの操作部材により反転ラッチを回動、移動させて開錠する箱形ラッチ錠が提案されている。
【先行技術文献】
【特許文献】
【０００３】
【特許文献１】特開2000-54703号公報
【特許文献２】特開2017-71971号公報
【特許文献３】特開2007-205112号公報
【発明の概要】
【発明が解決しようとする課題】
【０００４】
しかしながら、構造が複雑でサイズが大型であるという問題がある。
本発明は、このような問題に鑑みてなされたものであって、その目的とするところは、小型で、操作部材の操作量を抑えることができる室内用ラッチ錠を提供することである。
【課題を解決するための手段】
【０００５】
本発明は、操作部材の回動により常時施錠方向に付勢された操作棹と、ラッチ背面とラッチ傾斜面とを有し常時ラッチ背面側に付勢されて回動可能に前記操作棹の端部に設けられた反転ラッチと、施錠状態では前記ラッチ背面全体と接し、かつ若干の後退で前記ラッチ背面の後端部を露出させる第一のガイド面と、前記ラッチ傾斜面を案内する第二のガイドとから構成されている。
【発明の効果】
【０００６】
操作棹の移動により反転ラッチの拘束が解除されて容易に回動可能となるから操作棹の少ない移動、つまりノブの少ない操作量で開錠出来るとともに操作棹の先端に反転ラッチを設けるという簡単な構造で実現できる。
【図面の簡単な説明】
【０００７】
【図１】図（Ａ）（Ｂ）は、それぞれ本発明の一実施例を施錠時の形態で示す縦断面図と横断面図。
【図２】図（Ａ）（Ｂ）は、それぞれ本発明の一実施例を開錠初期の形態で示す縦断面図と横断面図。
【図３】本発明の主要部材の組み立て斜視図。
【図４】図（Ａ）（Ｂ）は、それぞれ施錠状態及び開錠初期の状態で示す断面図。
【発明を実施するための形態】
【０００８】
図１（Ａ）、（Ｂ）、図２（Ａ）、（Ｂ）、及び図３は、本発明の一実施例を示すものであって、前板１ａを備えた筒形外装ケース構成部材１、１’に収容され、角孔２ａに挿入されたノブ、ハンドルにより回動されるハンドル操作カム２により進退する操作棹は、スライド片３とラッチ保持体４により構成されている。
【０００９】
ラッチ保持体４の先端は、ラッチ保持体収容凹部５ａに反転ラッチ５が軸ピン６により回動可能に設けられている。反転ラッチ５は、枠体７の受座金具８の阻止面８ａに並行な面（以下、ラッチ背面という）５ｂと、受座金具８の阻止面８ａに傾斜して当接する面（以下、ラッチ傾斜面という）５ｃとを有し、捻りばね９により後述の保持ブッシュ１０と共同してラッチ背面５ｂが操作棹（ラッチ保持体４）の移動方向に並行となるように付勢されている。
【００１０】
さらに反転ラッチ５の後端５ｄ（図３）は、ラッチ傾斜面５ｃに作用する力を受けて保持ブッシュ１０の内面で容易に回動するように断面円形に形成するのが望ましい。
【００１１】
これら移動部材（反転ラッチ、ラッチ保持体、スライド片）は、反転ラッチ５の後端近傍に位置しラッチ保持体４に形成されたばね受け座４ａと筒形外装ケース構成部材１’の突起との間に装填されたコイルバネ１１により反転ラッチ側、つまり施錠側（図中、左方側）に突出するように常時付勢されている。
【００１２】
また反転ラッチ５の移動領域には反転ラッチ５の移動をガイドするとともに、施錠状態では反転ラッチ５のラッチ背面５ｂの全体と接して施錠力を保持する一方、ノブやレバーの回動操作θにより反転ラッチ５が若干後退した場合に（図２Ｂ）ラッチ背面５ｂの後端５ｄが突出、つまり露出する程度の長さの第一面１０ａと、ラッチ傾斜面５ｃをガイドする第二面１０ｂと備えた保持ブッシュ１０が装填されている。なお、符号１０ｃは側方ガイド面である。またこの実施例では第一面１０ａと第二面１０ｂを保持ブッシュに形成しているが、筒形外装ケース構成部材１に直接形成してもよい。
【００１３】
なお、この実施例では特許文献３にみられるようにバックセット、つまりスライド片３とラッチ保持体４とを係合させたときの軸長を調整できるように軸方向に２つの切り替え溝が形成されている。
【００１４】
すなわち、スライド片３の先端の貫通孔３ａをラッチ保持体４の２つの凹部４ｂ、４ｃのいずれかに挿入するかにより２つの部材の全体を長短に調整できる。スライド片３の貫通孔３ａはラッチ保持体４の後端が挿通可能(a＜b)で、かつ二者を相対的に９０度ほど変位させると凹部４ｂ、４ｃのいずれかの位置にセット、固定できるように構成されている。
【００１５】
この実施例において施錠状態（図４（Ａ））では、反転ラッチ５が枠７の受座金具８の阻止孔８ａの縁と軸ピン６との距離Ｌ１が極めて短く、かつラッチ背面５ｂの後端が保持ブッシュ１０の第一面１０ａに接し回動が阻止されているため、扉１２に作用する開放方向の力Ｆによる回動が確実に防止されている。なお、図中符号１３は、スライド片３を施錠方向に付勢するコイルバネである。
【００１６】
このように構成された室内用ラッチ錠において、施錠状態（図４の状態）で開錠すべくレバー、ノブなどの操作部材を回動させると、反転ラッチ５のラッチ背面５ｂの後端が保持ブッシュ１０の第一の面１０ａから若干突出する（図４（Ｂ）の状態）。これにより反転ラッチ５は、保持ブッシュ１０の第一の面１０ａによる拘束を解かれ軸ピン６を中心に回動が可能となる。
【００１７】
同時に受座金具８の縁と軸ピン６との距離Ｌ２が施錠時よりも拡大するので扉１２を開く力Ｆにより反転ラッチ５が捻りバネ９の付勢力に抗して受座金具８の縁と軸ピン６との距離Ｌ２が拡大しているため容易に回動しかつ後退するため受座金具８から脱出し開錠される。
【００１８】
これにより、操作棹の直線移動だけで受座金具からラッチを退避させるよりも、操作棹の移動量、つまりノブ、レバーの操作量が少なくても開錠できる。すなわち、反転ラッチ５は、回動と直線運動との２種類の変位により受座金具８から退避するのでノブやレバーの操作量が少なくなる。
【００１９】
開放状態の扉１２を閉めると、通常のラッチ錠のラッチと同様に反転ラッチ５のラッチ傾斜面５ｃが受座金具８のガイド面８ｂに押され、これにより発生した力のうち進退方向の分力を受けてバネ１１の付勢力に抗して反転ラッチ５が後退する。これにより反転ラッチ５が筒形外装ケース構成部材１に没入して扉１２が閉まり施錠状態となる。
【符号の説明】
【００２０】
１、１’    筒形外装ケース構成部材    ２  ハンドル操作カム    ３  スライド片    ４  ラッチ保持体    ５  反転ラッチ    ５ｂ  ラッチ背面  ５ｃ  ラッチ傾斜面    ６  軸ピン    ７  枠体    ８  受座金具    ９  捻りばね    １０  保持ブッシュ    １１  コイルバネ
【図１】
2019152035.tif 000003
【図２】
2019152035.tif 000004
【図３】
2019152035.tif 000005
【図４】
2019152035.tif 000006